(57)【特許請求の範囲】
【請求項１】
長手方向、幅方向、及び厚さ方向を有し、
液体を吸収する吸収体と、
前記吸収体の前記厚さ方向の一方側から前記吸収体を覆うトップシートと、
前記吸収体の前記厚さ方向の他方側に設けられたバックシートと
を備えた吸収性物品であって、
前記トップシートは、前記幅方向の両側に、折り返された折り返し部を有し、
前記折り返し部の先端部は、前記厚さ方向において前記吸収体と前記バックシートとの間で前記幅方向に並ぶ一対の接合部により前記バックシートに接合されており、
前記長手方向の前方領域及び後方領域における前記一対の前記接合部は、前記長手方向の中央領域における前記一対の前記接合部よりも前記幅方向の外側に位置している
ことを特徴とする吸収性物品。
【請求項２】
請求項１に記載の吸収性物品であって、
前記前方領域及び前記後方領域の前記一対の前記接合部の位置と前記中央領域の前記一対の前記接合部の位置とは、一部が前記長手方向に重なっている
ことを特徴とする吸収性物品。
【請求項３】
請求項１又は２に記載の吸収性物品であって、
前記吸収体は、前記幅方向の内側に括れた括れ部を少なくとも前記中央領域に有する吸収性コアを備えている
ことを特徴とする吸収性物品。
【請求項４】
請求項３に記載の吸収性物品であって、
前記前方領域及び前記後方領域のうちの少なくとも一方の前記一対の前記接合部の内側の端は、前記長手方向において、前記括れ部の括れ開始位置、又は前記括れ開始位置よりも内側に配置されている
ことを特徴とする吸収性物品。
【請求項５】
請求項１〜４のいずれか１項に記載の吸収性物品であって、
前記中央領域において、前記バックシートは前記トップシートの前記折り返し部よりも前記幅方向の外側に延出して形成されたサイドシートを有している
ことを特徴とする吸収性物品。
【請求項６】
請求項１〜５のいずれかに記載の吸収性物品であって、
前記厚さ方向における前記吸収体と前記トップシートとの間にセカンドシートをさらに有し、
少なくとも前記長手方向の中央領域において、前記セカンドシートの前記幅方向の両端部は、前記幅方向において前記吸収体と前記トップシートとの間に位置している
ことを特徴とする吸収性物品。
【請求項７】
請求項６に記載の吸収性物品であって、
前記吸収体は、前記幅方向の内側に括れた括れ部を少なくとも前記中央領域に有する吸収性コアを備え、
前記中央領域において、前記セカンドシートの前記幅方向の端と前記吸収性コアとの間には隙間が設けられている
ことを特徴とする吸収性物品。
【請求項８】
請求項７に記載の吸収性物品であって、
前記セカンドシートの前記両端部は、前記吸収体の側に折り返された領域を備えている
ことを特徴とする吸収性物品。
【請求項９】
請求項６〜８のいずれかに記載の吸収性物品であって、
前記トップシートと前記セカンドシートとを前記厚さ方向に接合する接合部は、前記セカンドシートの前記両端部よりも前記幅方向の内側に位置している
ことを特徴とする吸収性物品。
【請求項１０】
請求項６〜９のいずれかに記載の吸収性物品であって、
前記吸収体は、前記幅方向の内側に括れた括れ部を少なくとも前記中央領域に有する吸収性コアを備え、
前記トップシートと前記セカンドシートとは、前記幅方向の両側において圧搾部により前記厚さ方向に圧搾されて接合されており、
前記圧搾部は、少なくとも前記括れ部の最も括れた位置において前記括れ部の前記幅方向の外側に位置している
ことを特徴とする吸収性物品。
【発明の詳細な説明】
【技術分野】
【０００１】
本発明は、吸収性物品に関する。
【背景技術】
【０００２】
従来、吸収性物品として生理用ナプキンが知られている。例えば、特許文献１には、肌に接触し経血等の体液を透過させる液透過性の表面材と、ショーツに接触し体液の漏れを防止する防漏材と、表面材及び防漏材の間に介在する液保持性の吸収体とを備えたものが開示されている。
【０００３】
この生理用ナプキンでは、表面材が、吸収体の肌当接面側及び側面側を直接被覆しており、非肌当接面側において固定剤を介して吸収体及び防漏材のそれぞれと固定されている。すなわち、吸収体は、表面材によって肌当接面側及び側面側が覆われ、防漏材によって非肌当接面側が覆われている。
【先行技術文献】
【特許文献】
【０００４】
【特許文献１】特開平７−１８４９５７号公報
【発明の概要】
【発明が解決しようとする課題】
【０００５】
特許文献１に記載のものでは、着用時において使用者の両足から幅方向の力が加わると吸収体が押し潰され、表面材よりも硬い吸収体からの当接圧を両足が直接的に受けることになる。この結果、使用者は股間への違和感を覚えて、装着性が悪くなるおそれがあった。また、両足から幅方向の力が加わった場合には、生理用ナプキンが幅方向に押し潰されるため、体液等の液体を吸収する肌側の面の形状が変形して漏れが発生してしまう可能性があった。
【０００６】
本発明は、上記のような問題に鑑みてなされたものであって、その目的とするところは、股間への違和感を抑制して装着性を向上させると共に、液体の漏れを抑制することが可能な吸収性物品を提供することにある。
【課題を解決するための手段】
【０００７】
上記目的を達成するための主たる発明は、長手方向、幅方向、及び厚さ方向を有し、液体を吸収する吸収体と、前記吸収体の前記厚さ方向の一方側から前記吸収体を覆うトップシートと、前記厚さ方向における前記吸収体と前記トップシートとの間に設けられたセカンドシートと、前記吸収体の前記厚さ方向の他方側に設けられたバックシートとを備えた吸収性物品であって、前記トップシートは、前記幅方向の両側に、折り返された折り返し部を有し、前記折り返し部の先端は、前記厚さ方向において前記吸収体と前記バックシートとの間に位置しており、少なくとも前記長手方向の中央領域において、前記セカンドシートの前記幅方向の両端部は、前記幅方向において前記吸収体と前記トップシートとの間に位置していることを特徴とする吸収性物品である。本発明の他の特徴については、本明細書及び添付図面の記載により明らかにする。
【発明の効果】
【０００８】
本発明によれば、股間への違和感を抑制して装着性を向上させると共に、液体の漏れを抑制することが可能となる。
【図面の簡単な説明】
【０００９】
【図１】本発明の実施形態に係るナプキンを厚さ方向の肌側から見た概略平面図である。
【図２】ナプキンを厚さ方向の非肌側から見た概略平面図である。
【図３】図３Ａは図１のIIIＡ−IIIＡ線断面図、図３Ｂは図１のIIIＢ−IIIＢ線断面図である。
【図４】第４中央接合部、第４前方接合部、及び第４後方接合部の位置関係を示す概略平面図である。
【発明を実施するための形態】
【００１０】
本明細書及び添付図面の記載により、少なくとも以下の事項が明らかとなる。
【００１１】
長手方向、幅方向、及び厚さ方向を有し、液体を吸収する吸収体と、前記吸収体の前記厚さ方向の一方側から前記吸収体を覆うトップシートと、前記吸収体の前記厚さ方向の他方側に設けられたバックシートとを備えた吸収性物品であって、前記トップシートは、前記幅方向の両側に、折り返された折り返し部を有し、前記折り返し部の先端部は、前記厚さ方向において前記吸収体と前記バックシートとの間で前記幅方向に並ぶ一対の接合部により前記バックシートに接合されており、前記長手方向の前方領域及び後方領域における前記一対の前記接合部は、前記長手方向の中央領域における前記一対の前記接合部よりも前記幅方向の外側に位置している吸収性物品が明らかとなる。
【００１２】
これにより、両足が接触する頻度が高い中央領域では、一対の接合部が前方領域及び後方領域の一対の接合部よりも幅方向内側に位置しているため、吸収体よりも柔らかいトップシートの折り返し部に相当する部分を広い領域で確保することが可能となり、両足が受ける吸収体からの当接圧を緩和することができる。よって、股間への違和感が抑制されて吸収性物品の装着性が向上する。一方、前方領域及び後方領域では、一対の接合部が中央領域の一対の接合部よりも幅方向外側に位置しているため、液体を吸収する肌側の面の平面形状をより確保することができ、液体の漏れを抑制することが可能となる。
【００１３】
かかる吸収性物品であって、前記前方領域及び前記後方領域の前記一対の前記接合部の位置と前記中央領域の前記一対の前記接合部の位置とは、少なくとも一部が前記長手方向に重なっていることが望ましい。
【００１４】
これにより、両足が接触する頻度が高い中央領域側において、前方領域及び後方領域の一対の接合部の位置と中央領域の一対の接合部の位置とが長手方向に重なっているため、吸収性物品の着用時において両足から幅方向の力が加わった場合でも、トップシートとバックシートとの接合が剥がれにくくなる。
【００１５】
かかる吸収性物品であって、前記吸収体は、前記幅方向の内側に括れた括れ部を少なくとも前記中央領域に有する吸収性コアを備えていることが望ましい。
【００１６】
これにより、中央領域において、トップシートの折り返し部から吸収性コアまでの幅方向の距離が長くなり、両足がトップシートの折り返し部及びセカンドシートの両端部からの当接圧を受けた後すぐに吸収性コアからの当接圧を受けるといった事態を抑制することができ、両足が受ける吸収性コアからの当接圧を緩和することが可能となる。
【００１７】
かかる吸収性物品であって、前記前方領域及び前記後方領域の前記一対の前記接合部のうちの少なくとも一方の内側の端は、前記長手方向において、前記括れ部の括れ開始位置、又は前記括れ開始位置よりも内側に配置されていることが望ましい。
【００１８】
これにより、前方領域及び後方領域の一対の接合部のうちの少なくとも一方の内側の端が、括れ部が設けられている領域に位置するため、吸収性物品の着用時において括れ部が設けられている部分に両足から幅方向の力が加わった場合でも、トップシートとバックシートとの接合がより剥がれにくくなる。
【００１９】
かかる吸収性物品であって、前記中央領域において、前記バックシートは前記トップシートの前記折り返し部よりも前記幅方向の外側に延出して形成されたサイドシートを有していることが望ましい。
【００２０】
これにより、ウイング部を形成するサイドシートの延出部分（バックシートの一部）は、トップシートに接合されていないため、当該延出部分を厚さ方向の非肌側に折り曲げて下着に装着する際に、バックシートにつられてトップシートが引っ張られてしまうといった事態が回避されて、吸収性物品の着用時における股間への違和感を抑制することができる。
【００２１】
かかる吸収性物品であって、前記厚さ方向における前記吸収体と前記トップシートとの間にセカンドシートをさらに有し、少なくとも前記長手方向の中央領域において、前記セカンドシートの前記幅方向の両端部は、前記幅方向において前記吸収体と前記トップシートとの間に位置していることが望ましい。
【００２２】
これにより、両足が接触する頻度が高い長手方向の中央領域において、セカンドシートの両端部が幅方向において吸収体とトップシートとの間に位置するため、両足は、吸収体からの当接圧を受ける前に、吸収体よりも柔らかいトップシートの折り返し部及びセカンドシートの両端部からの当接圧を受けることができ、吸収体からの当接圧を直に受けずに済む。よって、両足が受ける吸収体からの当接圧を緩和することが可能となり、股間への違和感を抑制して、吸収性物品の装着性の向上につながる。
【００２３】
かかる吸収性物品であって、前記吸収体は、前記幅方向の内側に括れた括れ部を少なくとも前記中央領域に有する吸収性コアを備え、前記中央領域において、前記セカンドシートの前記幅方向の端と前記吸収性コアとの間には隙間が設けられていることが望ましい。
【００２４】
これにより、吸収性物品は、厚さ方向において、トップシート及びセカンドシートが存在する領域と、トップシートのみが存在する領域を有することとなる。両足から幅方向の力が加わると、トップシート及びセカンドシートが存在する領域よりも剛性が低いトップシートのみが存在する領域から変形が生じ、トップシート及びセカンドシートが存在する領域が厚さ方向に立ち上がりやすくなる。よって、当該立ち上がった面全体から当接圧を受けることができるため、両足が受けるトップシート及びセカンドシートからの当接圧が緩和されて、股間への違和感がより抑制される。
【００２５】
かかる吸収性物品であって、前記セカンドシートの前記両端部は、折り返された領域を備えていることが望ましい。
【００２６】
これにより、両足は、セカンドシートの両端面よりも広い面を有する折り返された領域から当接圧を受けることが可能となるため、両端面（エッジ）から当接圧を受ける場合と比べて股間への違和感がより抑制される。
【００２７】
かかる吸収性物品であって、前記トップシートと前記セカンドシートとを前記厚さ方向に接合する接合部は、前記セカンドシートの前記両端部よりも前記幅方向の内側に位置していることが望ましい。
【００２８】
これにより、トップシートの折り返し部及びセカンドシートの両端部では、トップシートとセカンドシートとが厚さ方向に接合されていないため、繊維の自由度が増し、吸収性物品の使用時において両足が受ける感触が良くなり、股間への違和感がより抑制される。
【００２９】
かかる吸収性物品であって、前記吸収体は、前記幅方向の内側に括れた括れ部を少なくとも前記中央領域に有する吸収性コアを備え、前記トップシートと前記セカンドシートとは、前記幅方向の両側において圧搾部により前記厚さ方向に圧搾されて接合されており、前記圧搾部は、少なくとも前記括れ部の最も括れた位置において前記括れ部の前記幅方向の外側に位置していることが望ましい。
【００３０】
これにより、圧搾部が設けられている位置においてトップシート及びセカンドシートの剛性が高くなるため、両足が吸収性物品に対して幅方向に力を加えた際に圧搾部を起点としてトップシートの折り返し部及びセカンドシートの両端部が厚さ方向に立ち上がり又は立ち下がり易くなる。したがって、両足は、当該厚さ方向に立ち上がった面又は立ち下がった面全体から当接圧を受けることができるため、両足が受けるトップシート及びセカンドシートからの当接圧が緩和されて、股間への違和感がより抑制される。
【００３１】
＝＝＝実施形態＝＝＝
本発明の実施形態に係る吸収性物品の一例として、生理用ナプキン１（以下では単にナプキン１とする）について説明する。なお、当該吸収性物品には、例えばパンティライナーといった所謂おりものシート等も含まれており、生理用ナプキンに限定されるものではない。
【００３２】
＜ナプキン１の構成＞
ナプキン１の構成について、図１、図２、図３Ａ、及び図３Ｂを参照して説明する。
【００３３】
図１は、本発明の実施形態に係るナプキン１を厚さ方向の肌側から見た概略平面図である。図２は、ナプキン１を厚さ方向の非肌側から見た概略平面図である。図３Ａは、図１のIIIＡ−IIIＡ線断面図であり、図３Ｂは、図１のIIIＢ−IIIＢ線断面図である。
【００３４】
ナプキン１は、平面視縦長形状のシート状部材であり、長手方向、幅方向、及び厚さ方向を有する。以下の説明において、「長手方向」とは、ナプキン１の製品の長手方向を示し、「厚さ方向」とは、ナプキン１の製品が有する厚みの方向を示し、「幅方向」とは、長手方向及び厚さ方向に直交する短手方向を示す。なお、長手方向において、ナプキン１の使用時における使用者の腹側の方向を「前方」とし、使用者の背側の方向を「後方」とする。また、厚さ方向は、ナプキン１の使用時において使用者の肌と接する側となる「肌側」と、その反対側となる「非肌側」とを有する。
【００３５】
ナプキン１は、図３Ａ及び図３Ｂに示すように、吸収体２と、吸収体２の厚さ方向の一方側である肌側から吸収体２を覆うトップシート３と、厚さ方向における吸収体２とトップシート３との間に設けられたセカンドシート４と、吸収体２の厚さ方向の他方側である非肌側に設けられたバックシート５とを備えている。本実施形態では、バックシート５は、メインシート５１及びサイドシート５２の２種類のシートを有している。
【００３６】
トップシート３とセカンドシート４、吸収体２とセカンドシート４、吸収体２とトップシート３、トップシート３とバックシート５、及びバックシート５におけるメインシート５１とサイドシート５２とは、ホットメルト接着剤等の接着剤によってそれぞれ接合されている。接着剤の塗布パターンとしては、例えばΩパターンやスパイラルパターン、ストライプパターン等が挙げられる。
【００３７】
以下の説明において、トップシート３とセカンドシート４との接合部を第１接合部１１、吸収体２とセカンドシート４との接合部を第２接合部１２、吸収体２とトップシート３との接合部を第３接合部１３、トップシート３とバックシート５との接合部を第４接合部１４、バックシート５におけるメインシート５１とサイドシート５２との接合部を第５接合部１５とし、第１〜第４接合部１１〜１４の具体的な位置関係については、後述することとする。
【００３８】
本実施形態では、図１、図２、及び図４に示すように、ナプキン１の外縁が、複数の円弧が連なった波形状に形成されている。また、ナプキン１は、使用時において下着等に載置固定するために供されるウイング部１０を長手方向の中央に有している。このウイング部１０は、幅方向の外側に向かって張り出すように延出した略三角形状であり、幅方向の両側にそれぞれ設けられている。
【００３９】
ナプキン１の長手方向において、ウイング部１０が設けられている領域を中央領域１ａとし、中央領域１ａよりも前方の領域を前方領域１ｂ、中央領域１ａよりも後方の領域を後方領域１ｃとする。なお、ウイング部１０を備えていないナプキンの場合には、長手方向において、ウイング部１０が設けられる領域に相当する領域を中央領域１ａとする。
【００４０】
ここで、中央領域１ａと前方領域１ｂとの境界、及び中央領域１ａと後方領域１ｃとの境界について、図２を参照してより具体的に説明する。
【００４１】
ウイング部１０において、幅方向の最も外側に位置する点を頂点１０ａとする。この頂点１０ａから前方に連なってナプキン１の外縁を形成している複数の円弧のうちナプキン１内に向かって凸となる円弧の接線の傾きを頂点１０ａ側から順に見ていった場合に、当該接線の傾きが初めて長手方向に平行となる円弧上の点を前方側の点１０ｂとする。この場合において、幅方向に並ぶ一対の前方側の点１０ｂを結んだ線を中央領域１ａと前方領域１ｂとの境界線（前方側境界線）とし、当該前方側境界線よりも前方の領域が前方領域１ｂとなる。
【００４２】
同様にして、頂点１０ａから後方に連なってナプキン１の外縁を形成している複数の円弧のうちナプキン１内に向かって凸となる円弧の接線の傾きを頂点１０ａ側から順に見ていった場合に、当該接線の傾きが初めて長手方向に平行となる円弧上の点を後方側の点１０ｃとする。この場合において、幅方向に並ぶ一対の後方側の点１０ｃを結んだ線を中央領域１ａと後方領域１ｃとの境界線（後方側境界線）とし、当該後方側境界線よりも後方の領域が後方領域１ｃとなる。
【００４３】
したがって、長手方向における前方側境界線から後方側境界線までの領域が中央領域１ａとなる。図２では、一対の前方側の点１０ｂにおける接線、及び一対の後方側の点１０ｃにおける接線をそれぞれ二点鎖線で示し、前方側境界線及び後方側境界線をそれぞれ一点鎖線で示している。
【００４４】
吸収体２は、経血等の液体を吸収して内部に保持する部材であり、図３Ａ及び図３Ｂに示すように、液体吸収性繊維であるパルプ繊維等により形成された吸収性コア２１と、例えばティッシュ等の柔らかい素材により形成されたカバーシート２２とを備える。
【００４５】
吸収性コア２１は、トップシート３、セカンドシート４、及びバックシート５よりも硬く厚みを有している。図１及び図３Ａに示すように、吸収性コア２１は、幅方向の内側に括れた括れ部２１０を長手方向の中央に有している。本実施形態では、図１に示すように、括れ部２１０は、中央領域１ａよりも長手方向に長い範囲に設けられているが、これに限らず、少なくとも中央領域１ａに設けられていればよい。また、吸収体２は、必ずしも括れ部２１０を有する吸収性コア２１を備えている必要はない。
【００４６】
カバーシート２２は、図３Ａ及び図３Ｂに示すように、吸収性コア２１を内部に巻き込んだ状態で、厚さ方向の非肌側において幅方向の両端部が重なり合っている。本実施形態では、吸収性コア２１が括れ部２１０を有しているため、図３Ａに示すように、少なくとも中央領域１ａにおいてカバーシート２２と吸収性コア２１との間には空間が介在している。
【００４７】
トップシート３は、経血等の液体を透過する部材であり、液透過性の不織布等により形成されている。本実施形態では、トップシート３として、例えば１．３ｄｔｅｘ〜２．２ｄｔｅｘ（好ましくは１．７ｄｔｅｘ程度）の細い繊維を２０ｋｇ／ｍ3〜４０ｋｇ／ｍ3（好ましくは２５ｋｇ／ｍ3〜３５ｋｇ／ｍ3程度）の密度になるように結合させた不織布が用いられている。これにより、トップシート３は、柔軟性がよくフワフワとした肌触りになるため、肌が受ける感触が良好となる。なお、これに限らず、トップシート３は、少なくとも液透過性を有する部材であればよい。
【００４８】
図３Ａ及び図３Ｂに示すように、トップシート３は、幅方向の両側に、折り返された折り返し部３２を有している。折り返し部３２は、トップシート３が折り返し線３２ｂにて折り返されることにより形成されている。この折り返し線３２ｂは、トップシート３における吸収体２の肌側の面を覆う平面部３１の幅方向の両側にそれぞれ位置している。
【００４９】
折り返し部３２の先端３２０ａは、厚さ方向において吸収体２とバックシート５との間に位置している。本実施形態では、先端３２０ａを含む先端部３２０が、厚さ方向において吸収体２とバックシート５との間で幅方向の内側（中央側）に向かって延在している。先端部３２０は、厚さ方向において吸収体２とバックシート５との間で幅方向に並ぶ一対の第４接合部１４によってバックシート５に接合されている。したがって、トップシート３は、先端部３２０においてバックシート５と接合している。
【００５０】
セカンドシート４は、トップシート３と同様に経血等の液体を透過する部材であり、液透過性の合成繊維の不織布等により形成されている。図３Ａ及び図３Ｂに示すように、セカンドシート４の幅方向の両端部は、折り返された領域４００を備えており、折り返された領域４００は、幅方向において吸収体２とトップシート３との間に位置している。
【００５１】
本実施形態では、セカンドシート４の両端部は、中央領域１ａ、前方領域１ｂ、及び後方領域１ｃの全体に亘って折り返された領域４００を備えており、当該折り返された領域４００が、幅方向において吸収体２とトップシート３との間に位置している。しかしながら、これに限らず、少なくとも中央領域１ａにおいて、セカンドシート４の両端部が、幅方向において吸収体２とトップシート３との間に位置していればよい。
【００５２】
中央領域１ａは、ナプキン１を着用している際に、使用者の両足が接触する頻度が高い領域である。また、吸収体２は、前述したように、トップシート３やセカンドシート４よりも硬く形成されており、使用者は、両足に対して、トップシート３やセカンドシート４よりも大きな当接圧を吸収体２から受けることとなる。
【００５３】
本実施形態では、少なくとも中央領域１ａにおいて、セカンドシート４の幅方向の両端部が、幅方向において吸収体２トップシーと３との間に位置しているため、両足は、吸収体２からの当接圧を受ける前に吸収体２よりも柔らかいトップシート３の折り返し部３２及びセカンドシート４の両端部からの当接圧を受けることができ、吸収体２からの当接圧を直に受けずに済むため、両足が受ける吸収体２からの当接圧を緩和することが可能となり、股間への違和感を抑制して、ナプキン１の装着性の向上につながる。
【００５４】
また、セカンドシート４の両端部が折り返された領域４００を備えることにより、両足は、セカンドシート４の両端面よりも広い面を有する領域から当接圧を受けることが可能となるため、当該両端面（エッジ）から当接圧を受ける場合と比べて股間への違和感がより抑制される。
【００５５】
さらに、吸収体２は、括れ部２１０を有することによって少なくとも中央領域１ａにおいて吸収性コア２１が幅方向の内側に括れているため、トップシート３の折り返し部３２から吸収性コア２１までの幅方向の距離が長くなり、両足がトップシート３の折り返し部３２及びセカンドシート４の両端部からの当接圧を受けた後すぐに吸収性コア２１からの当接圧を受けるといった事態を抑制することができ、両足が受ける吸収性コア２１からの当接圧を緩和することが可能となる。
【００５６】
図３Ａ及び図３Ｂに示すように、セカンドシート４の幅方向の端である折り返された領域４００の先端４００ａと吸収性コア２１との間には隙間Ｓが設けられている。本実施形態では、中央領域１ａ、前方領域１ｂ、及び後方領域１ｃの長手方向全体に亘って隙間Ｓが設けられているが、これに限らず、少なくとも中央領域１ａにおいて隙間Ｓが設けられていればよい。また、必ずしもセカンドシート４の先端４００ａと吸収性コア２１との間に隙間Ｓが設けられている必要はないが、当該隙間Ｓが設けられていた方が望ましい。
【００５７】
なぜなら、隙間Ｓを有するナプキン１は、厚さ方向において、トップシート３及びセカンドシート４が存在する領域と、トップシート３のみが存在する領域とを有することとなる。トップシート３のみが存在する領域では、トップシート３及びセカンドシート４が存在する領域よりも剛性が低いため、中央領域１ａにおいて両足から幅方向の力が加わった場合、トップシート３のみが存在する領域から変形が生じる。すなわち、トップシート３のみが存在する領域は、トップシート３及びセカンドシート４が存在する領域よりも変形が生じやすい。
【００５８】
したがって、トップシート３のみが存在する領域よりも厚さ方向の肌側に存在するトップシート３及びセカンドシート４が存在する領域が厚さ方向に立ち上がりやすくなり、当該立ち上がった面全体から当接圧を受けることができるため、両足が受けるトップシート３及びセカンドシート４からの当接圧が緩和されて、股間への違和感がより抑制される。
【００５９】
トップシート３とセカンドシート４とは、図１に示すように、幅方向に並んで設けられた長手方向に延びる一対のシール部６によって厚さ方向に接合されている。トップシート３とセカンドシート４との当該接合方法としては、例えば加圧圧搾による融着等が挙げられる。図１及び図３Ａに示すように、一対のシール部６は、括れ部２１０が設けられた位置において括れ部２１０の幅方向の外側に位置している。図３Ａ及び図３Ｂでは、一対のシール部６をそれぞれ砂地で示している。なお、一対のシール部６は、複数のドット状の圧搾部によって形成されており、本実施形態においては、当該圧搾部においてトップシート３とセカンドシート４とが融着されている。
【００６０】
これにより、両足は、吸収性コア２１からの当接圧を受ける前にトップシート３の折り返し部３２及びセカンドシート４の両端部からの当接圧に加えて一対のシール部６からの当接圧を受けることができ、吸収性コア２１からの当接圧を直に受けずに済むため、両足が受ける吸収性コア２１からの当接圧をより緩和することが可能となる。
【００６１】
また、一対のシール部６が設けられている位置においてトップシート３及びセカンドシート４の剛性が高くなるため、両足がナプキン１に対して幅方向に力を加えた際に一対のシール部６を起点としてトップシート３の折り返し部３２及びセカンドシート４の両端部が厚さ方向に立ち上がり又は立ち下がり易くなる。これにより、両足は、当該厚さ方向に立ち上がった面又は立ち下がった面全体から当接圧を受けることができるため、両足が受けるトップシート３及びセカンドシート４からの当接圧が緩和されて、股間への違和感がより抑制される。
【００６２】
なお、一対のシール部６は、必ずしも括れ部２１０が設けられた位置全体に亘って括れ部２１０の幅方向の外側に位置している必要はなく、少なくとも括れ部２１０の最も括れた位置において括れ部２１０の幅方向の外側に位置していればよい。
【００６３】
図３Ａ及び図３Ｂに示すように、吸収体２、トップシート３、及びセカンドシート４は、第１圧搾部７１及び第２圧搾部７２により厚さ方向に圧搾されて接合されている。吸収体２、トップシート３、及びセカンドシート４の当該圧搾方法としては、例えばヒートエンボス加工が挙げられる。本実施形態では、第１圧搾部７１及び第２圧搾部７２は、複数の凹部が一定の間隔で並んで形成されているが、これに限らず、例えば複数の凹部が連続して並ぶことにより溝形状に形成されていてもよい。
【００６４】
図１に示すように、括れ部２１０が設けられた位置に、長手方向に延びるように形成された一対の第１圧搾部７１が幅方向に並んで設けられており、括れ部２１０よりも前方又は後方の位置にそれぞれ、ハート形状に形成された第２圧搾部７２が設けられている。
【００６５】
図３Ａ及び図３Ｂに示すように、セカンドシート４の両端部は、第１圧搾部７１及び第２圧搾部７２よりも幅方向の外側に位置している。したがって、セカンドシート４の両端部は第１圧搾部７１及び第２圧搾部７２により吸収体２やトップシート３と接合されていないため、セカンドシート４は、両端部において繊維の自由度が増し、両足が受ける感触が良くなることで股間への違和感がより抑制される。図３Ａ及び図３Ｂでは、第１圧搾部７１及び第２圧搾部７２を網掛けで示している。
【００６６】
本実施形態では、図１に示すように、括れ部２１０の最も括れた位置において、吸収性コア２１の幅方向の外縁からトップシート３の折り返し線３２ｂまでの距離Ｌ１が、吸収性コア２１の幅方向の外縁から第１圧搾部７１の幅方向の外縁までの距離Ｌ２よりも長い。これにより、トップシート３及びセカンドシート４における第１圧搾部７１によって接合されていない部分、すなわち繊維の自由度が大きい部分が、吸収性コア２１よりも幅方向の外側において増えるため、両足が受ける感触が良くなり、股間への違和感がより抑制される。
【００６７】
バックシート５は、図３Ａ及び図３Ｂに示すように、メインシート５１と一対のサイドシート５２とが第５接合部１５によって厚さ方向に接合されて形成されている。メインシート５１は、液不透過性の合成フィルム等により形成され、厚さ方向の最も非肌側に設けられている。一対のサイドシート５２は、柔らかい不織布等により形成され、メインシート５１よりも厚さ方向の肌側に設けられている。より具体的には、一対のサイドシート５２は、厚さ方向において、トップシート３の折り返し部３２の先端部３２０とメインシート５１との間に配置されている。
【００６８】
一対のサイドシート５２は、一対の第４接合部１４によってトップシート３の折り返し部３２の先端部３２０に接合されている。一対の第４接合部１４は、トップシート３における折り返し線３２ｂよりも幅方向の内側に位置している。
【００６９】
図３Ａに示すように、メインシート５１及びサイドシート５２は、中央領域１ａにおいて、トップシート３の折り返し部３２よりも幅方向の外側に延出した部分を有し、当該延出部分によってウイング部１０が形成されている。
【００７０】
前述したように、トップシート３とバックシート５とは、トップシート３における折り返し線３２ｂよりも幅方向の内側に位置する一対の第４接合部１４によって接合されているため、当該一対の第４接合部１４よりも幅方向の外側においては、トップシート３とバックシート５とは厚さ方向に接合されていない。したがって、ウイング部１０を形成するバックシート５の延出部分は、トップシート３に接合されていない。これにより、ウイング部１０、すなわちバックシート５の延出部分を厚さ方向の非肌側に折り曲げて下着に装着する際に、バックシート５につられてトップシート３が引っ張られてしまうといった事態が回避されて、ナプキン１の着用時における股間への違和感を抑制することができる。
【００７１】
なお、ウイング部１０は、必ずしもメインシート５１及びサイドシート５２によって形成されている必要はなく、少なくとも中央領域１ａにおいて、サイドシート５２がトップシート３の折り返し部３２よりも幅方向の外側に延出して形成されることによりウイング部１０が形成されていればよい。
【００７２】
図２に示すように、メインシート５１の非肌側面には、長手方向に延びる帯状の本体粘着部１６ａがトップシート３の平面部３１（図１参照）にあたる部分に設けられていると共に、一対のウイング粘着部１６ｂが一対のウイング部１０にあたる部分に設けられている。ナプキン１を使用する際は、本体粘着部１６ａを下着の股下部の内側に貼り付けると共に、一対のウイング部１０を非肌側に折り曲げて一対のウイング粘着部１６ｂを股下部の外側に貼り付けて、ナプキン１を下着に固定する。
【００７３】
＜第１〜第４接合部１１〜１４の位置関係について＞
次に、第１〜第４接合部１１〜１４の位置関係について、図３Ａ、図３Ｂ、及び図４を参照して説明する。
【００７４】
図４は、一対の第４中央接合部１４ａ、一対の第４前方接合部１４ｂ、及び一対の第４後方接合部１４ｃの位置関係を示す概略平面図である。
【００７５】
図３Ａ及び図３Ｂに示すように、吸収体２、トップシート３、セカンドシート４、及びバックシート５のうちいずれか２つの部材を互いに接合する接合部、すなわち第１〜第４接合部１１〜１４は、トップシート３における折り返し線３２ｂよりも幅方向の内側に位置している。これにより、トップシート３の折り返し部３２において繊維の自由度が増すため、ナプキン１の使用時において両足が受ける感触が良くなり、股間への違和感が抑制される。なお、必ずしも第１〜第４接合部１１〜１４は、トップシート３における折り返し線３２ｂよりも幅方向の内側に位置している必要はない。
【００７６】
また、トップシート３とセカンドシート４とを厚さ方向に接合する第１接合部１１は、セカンドシート４の両端部よりも幅方向の内側に位置している。したがって、トップシート３の折り返し部３２及びセカンドシート４の両端部では、トップシート３とセカンドシート４とが厚さ方向に接合されていないため、繊維の自由度が増し、ナプキン１の使用時において両足が受ける感触が良くなり、股間への違和感がより抑制される。
【００７７】
図３Ａ、図３Ｂ、及び図４に示すように、トップシート３とバックシート５とを厚さ方向に接合する一対の第４接合部１４は、中央領域１ａ、前方領域１ｂ、及び後方領域１ｃの３つの領域にそれぞれ設けられている。以下の説明において、中央領域１ａにおける一対の第４接合部１４を一対の第４中央接合部１４ａとし、前方領域１ｂにおける一対の第４接合部１４を一対の第４前方接合部１４ｂとし、後方領域１ｃにおける一対の第４接合部１４を一対の第４後方接合部１４ｃとする。
【００７８】
一対の第４中央接合部１４ａは、中央領域１ａにおいて、長手方向に延伸して設けられており、長手方向の一端部は前方領域１ｂまで、他端部は後方領域１ｃまで延伸している。一対の第４前方接合部１４ｂは、前方領域１ｂにおいて、前側の端から中央領域１ａ側に向かって長手方向に延伸して設けられている。一対の第４後方接合部１４ｃは、後方領域１ｃにおいて、後側の端から中央領域１ａ側に向かって長手方向に延伸して設けられている。
【００７９】
したがって、図４に示すように、一対の第４前方接合部１４ｂの位置及び一対の第４後方接合部１４ｃの位置と一対の第４中央接合部１４ａの位置とは、少なくとも一部が長手方向に重なっている。両足が接触する頻度が高い中央領域１ａ側において、一対の第４前方接合部１４ｂの位置及び一対の第４後方接合部１４ｃの位置と一対の第４中央接合部１４ａの位置とが長手方向に重なっていることにより、ナプキン１の着用時において両足から幅方向の力が加わった場合でも、トップシート３とバックシート５との接合が剥がれにくくなる。
【００８０】
なお、一対の第４前方接合部１４ｂの位置及び一対の第４後方接合部１４ｃの位置と一対の第４中央接合部１４ａの位置とは、本実施形態のように一部が重なっていてもよいし、例えば一対の第４中央接合部１４ａがナプキン１の長手方向全体に亘って設けられており、一対の第４前方接合部１４ｂ全体の位置及び一対の第４後方接合部１４ｃ全体の位置が一対の第４中央接合部１４ａの位置と重なっていてもよい。
【００８１】
また、図４に示すように、一対の第４前方接合部１４ｂは、長手方向の内側の端である中央領域１ａ側の端１４０ｂが、長手方向において、吸収性コア２１の括れ部２１０における前方側の括れ開始位置２１０ｂに配置されている。同様にして、一対の第４後方接合部１４ｃは、長手方向の内側の端である中央領域１ａ側の端１４０ｃが、長手方向において、括れ部２１０における後方側の括れ開始位置２１０ｃに配置されている。
【００８２】
本実施形態では、一対の第４前方接合部１４ｂの端１４０ｂは前方側の括れ開始位置２１０ｂに、一対の第４後方接合部１４ｃの端１４０ｃは後方側の括れ開始位置２１０ｃに、それぞれ配置されているが、これに限らず、一対の第４前方接合部１４ｂの端１４０ｂが前方側の括れ開始位置２１０ｂよりも内側（中央側）に、一対の第４後方接合部１４ｃの端１４０ｃが後方側の括れ開始位置２１０ｃよりも内側（中央側）に、それぞれ配置されていてもよい。
【００８３】
これにより、一対の第４前方接合部１４ｂの端１４０ｂ及び一対の第４後方接合部１４ｃの端１４０ｃが括れ部２１０が設けられている領域に位置するため、ナプキン１の着用時において括れ部２１０が設けられている部分に両足から幅方向の力が加わった場合でも、トップシート３とバックシート５との接合がより剥がれにくくなる。
【００８４】
なお、一対の第４前方接合部１４ｂ及び一対の第４後方接合部１４ｃのそれぞれにおいて、一対のうちの少なくとも一方の接合部の端１４０ｂ，１４０ｃが括れ開始位置２１０ｂ，２１０ｃ、又は括れ開始位置２１０ｂ，２１０ｃよりも内側に配置されていればよい。
【００８５】
図３Ａ、図３Ｂ、及び図４に示すように、一対の第４前方接合部１４ｂ及び一対の第４後方接合部１４ｃは、一対の第４中央接合部１４ａよりも幅方向の外側に位置している。換言すれば、一対の第４中央接合部１４ａは、一対の第４前方接合部１４ｂ及び一対の第４後方接合部１４ｃよりも幅方向の内側に位置している。
【００８６】
したがって、両足が接触する頻度が高い中央領域１ａでは、一対の第４中央接合部１４ａが一対の第４前方接合部１４ｂ及び第４後方接合部１４ｃよりも幅方向の内側に位置していることにより、トップシート３における折り返し部３２に相当する部分を広い領域で確保することが可能となる。よって、両足は、吸収体２からの当接圧を受ける前に、吸収体２よりも柔らかいトップシート３におけるより広い面から当接圧を受けることとなり、両足が受ける吸収体２からの当接圧が緩和されて、股間への違和感の抑制につながる。
【００８７】
一方、前方領域１ｂ及び後方領域１ｃでは、一対の第４前方接合部１４ｂ及び一対の第４後方接合部１４ｃが一対の第４中央接合部１４ａよりも幅方向の外側に位置していることにより、経血等の液体を吸収する肌側の面であるトップシート３の平面部３１（図１、図３Ａ、及び図３Ｂ参照）の平面形状を確保して液体の吸収面積をより確保することができ、液体の漏れの抑制につながる。
【００８８】
＝＝＝その他＝＝＝
上記の実施形態は、本発明の理解を容易にするためのものであり、本発明を限定して解釈するためのものではない。本発明は、その趣旨を逸脱することなく、変更、改良され得ると共に、本発明にはその等価物が含まれることは言うまでもない。
【符号の説明】
【００８９】
１…ナプキン（吸収性物品）
１ａ…中央領域
１ｂ…前方領域
１ｃ…後方領域
２…吸収体
３…トップシート
４…セカンドシート
５…バックシート
６…シール部
１１…第１接合部（接合部）
１４，１４ａ，１４ｂ，１４ｃ…第４接合部（一対の接合部）
２１…吸収性コア
３２…折り返し部
５２…サイドシート
１４０ｂ，１４０ｃ…中央領域側の端（内側の端）
２１０…括れ部
２１０ｂ，２１０ｃ…括れ開始位置
３２０…先端部
４００…折り返された領域
４００ａ…先端
Ｓ…隙間
【要約】
【課題】股間への違和感を抑制して装着性を向上させると共に、液体の漏れを抑制することが可能な吸収性物品を提供する。
【解決手段】液体を吸収する吸収体２と、吸収体２の厚さ方向の一方側から吸収体２を覆うトップシート３と、吸収体２の厚さ方向の他方側に設けられたバックシート５とを備えたナプキン１であって、トップシート３は、幅方向の両側に、折り返された折り返し部３２を有し、折り返し部３２の先端部３２０は、厚さ方向において吸収体２とバックシート５との間で幅方向に並ぶ一対の第４接合部１４によりバックシート５に接合されており、前方領域１ｂ及び後方領域１ｃにおける一対の第４接合部１４ｂ，１４ｃは、中央領域１ａにおける一対の第４接合部１４ａよりも幅方向の外側に位置している。
【選択図】図３【図１】
0005978349.tif 000002
【図２】
0005978349.tif 000003
【図３】
0005978349.tif 000004
【図４】
0005978349.tif 000005